(57)【特許請求の範囲】
【請求項１】
建物基礎の近傍部分から基礎下方にわたって地盤を掘った後、この掘削穴内で、杭を、基礎から偏心した位置で地盤に打ち込むと共に、この掘削穴の底部にコンクリートを打設し、
そして、掘削穴内においてこのコンクリートの上面から所定の高さ寸法だけ上方に突出する前記杭に接合したブラケットを基礎の下方に張り出し状態にし、
このブラケットは、上下のフランジとこれらフランジをその幅方向中間部において連接するウェブとを備え、下フランジの幅方向の両側が、上フランジよりも外方に突出されているもので、下フランジの下面をコンクリートに支承させた状態で基礎の下方に張り出し状態にされ、
しかる後、上フランジの幅方向両側から外方に突出する両下フランジ部分と、基礎下面との間にそれぞれジャッキを配置して、両ジャッキにて基礎を上昇させ、  次いで、上フランジと基礎下面との間にスペーサーを介設すると共に、ジャッキを取り除き、
そして、掘削穴にコンクリートを打設し、このコンクリートと杭とブラケットとを一体化することを特徴とする建物水平修復工法。
【請求項２】
前記ブラケットは、上下のフランジ板と、ウェブ板と、ウェブ板を差し込み可能なスリットを有して基礎の下方部において上下のフランジ間に立てた状態に配置される筒材とを個別独立部材として備え、これら部材を組み合わせて接合して構成される組立式ブラケットからなり、筒材のスリットへのウェブの差し込み量を調整することで、ブラケットの寸法を杭と基礎との偏心寸法に合わせることができるようになされているものである請求項１に記載の建物水平修復工法。
【請求項３】
杭の打込みを回転圧入法により行う請求項１又は２に記載の建物水平修復工法。
【請求項４】
前記杭が鋼管杭からなり、この鋼管杭内部にコンクリートを充填する請求項１乃至２のいずれか一に記載の建物水平修復工法。
【請求項５】
上下のフランジとこれらフランジをその幅方向中間部において連接するウェブとを備え、下フランジの幅方向の両側が上フランジよりも外方に突出され、この突出する両下フランジ部分にそれぞれ、基礎を上昇させるジャッキを配置できるようになされていることを特徴とする、建物水平修復用のブラケット。
【請求項６】
上下のフランジ板と、ウェブ板と、ウェブ板を差し込み可能なスリットを有して基礎の下方部において上下のフランジ間に立てた状態に配置される筒材とを個別独立部材として備え、これら部材を組み合わせて接合して構成され、筒材のスリットへのウェブの差し込み量を調整することで、ブラケットの寸法を杭と基礎との偏心寸法に合わせることができるようになされていることを特徴とする、建物水平修復用の組立式ブラケット。
【発明の詳細な説明】
【０００１】
【発明の属する技術分野】
本発明は、建物水平修復工法及びそれに用いるブラケットに関する。
【０００２】
【従来の技術】
不同沈下した建物を修復する方法として、例えば、建物基礎の近傍部分から基礎下方にわたって地盤を掘り、この掘削穴内で、基礎の側近に杭をバイブロハンマーやエアハンマーなどで打設し、この杭に溶接した三角トラス状のブラケットを基礎下方に突出させる。そして、ブラケットと基礎との間にジャッキを配置して、基礎を上昇させるか、あるいは、掘削孔の底面に別途に形成したコンクリートや鋼板などによる反力盤と基礎との間にジャッキを設置して、基礎を上昇させる、という方法がある。
【０００３】
【発明が解決しようとする課題】
しかしながら、上記のような修復法では、基礎下方の地盤をかなり深く掘り下げる必要があるとか、ジャッキで基礎を上昇させる際の構造安定性が必ずしも良くないとか、転石などで杭の打設位置が基礎から離れて基礎と杭との偏心距離が大きくなったような場合に対応に苦慮するとか、三角トラス状のブラケットとは別に強度的にしっかりとした反力盤を形成しなければならないとか、いくつかの不具合があり、必ずしも万全なものではなかった。
【０００４】
本発明は、上記のような技術背景のもとで、より万全な建物水平修復工法及びそれに用いるブラケットを提供することを課題とする。
【０００５】
【課題を解決するための手段】
上記の課題は、建物基礎の近傍部分から基礎下方にわたって地盤を掘った後、この掘削穴内で、杭を、基礎から偏心した位置で地盤に打ち込むと共に、この掘削穴の底部にコンクリートを打設し、
そして、掘削穴内においてこのコンクリートの上面から所定の高さ寸法だけ上方に突出する前記杭に接合したブラケットを基礎の下方に張り出し状態にし、
このブラケットは、上下のフランジとこれらフランジをその幅方向中間部において連接するウェブとを備え、下フランジの幅方向の両側が、上フランジよりも外方に突出されているもので、下フランジの下面をコンクリートに支承させた状態で基礎の下方に張り出し状態にされ、
しかる後、上フランジの幅方向両側から外方に突出する両下フランジ部分と、基礎下面との間にそれぞれジャッキを配置して、両ジャッキにて基礎を上昇させ、  次いで、上フランジと基礎下面との間にスペーサーを介設すると共に、ジャッキを取り除き、
そして、掘削穴にコンクリートを打設し、このコンクリートと杭とブラケットとを一体化することを特徴とする建物水平修復工法によって解決される。
【０００６】
即ち、この修復工法では、ブラケットが、上下のフランジと、これらフランジをその幅方向中間部において連接するウェブとを備え、下フランジの幅方向の両側が上フランジよりも外方に突出され、これら突出された両下フランジ部分と、基礎下面との間にそれぞれジャッキを配置して、両ジャッキにて基礎を上昇させるものであるから、ブラケットを存在させる高さ範囲とジャッキを存在させる高さ範囲とがほとんど重なり、そのため、基礎下方の地盤の掘削深さは、浅くてよく、この掘削作業に要する手間を軽減することができる。
【０００７】
しかも、ブラケットのウェブを挟む両側に配置した対のジャッキで基礎を上昇させるものであり、かつ、ブラケットの上フランジではなく下フランジにジャッキを配置して基礎を上昇させるものであるから、基礎を構造安定性良く上昇させることができる。
【０００８】
加えて、ブラケットの下フランジをジャッキの反力盤とするものであるから、強度的にしっかりとした反力盤をブラケットとは別に形成する必要がなく、反力盤形成の厄介な工事を省略することができる。下フランジの下のコンクリートは、ブラケットを安定良く水平に支える下地としての機能を有するものであり、確かに基礎を上昇させる際に幾分かの反力もあろうが、従来のようなそれ単独で反力盤として機能しうるものではない。また、それ単独で反力盤として機能しうるものである必要もない。
【０００９】
更に、ジャッキで基礎を上昇させたのち、ブラケットの上フランジと基礎下面との間にスペーサーを配置するだけで、基礎下面をブラケットに安定良くしっかりと支えさせることができる。
【００１０】
上記のブラケットは、上下のフランジ板と、ウェブ板と、ウェブ板を差し込み可能なスリットを有して基礎の下方部において上下のフランジ間に立てた状態に配置される筒材とを個別独立部材として備え、これら部材を組み合わせて接合して構成される組立式ブラケットからなり、筒材スリットへのウェブの差し込み量を調整することで、ブラケットの寸法を杭と基礎との偏心寸法に合わせることができるようになされているものであるのがよい。
【００１１】
このブラケットでは、筒材が基礎の下方部に位置しているから、この筒材で、基礎を、強度的にしっかりと支持することができる。
【００１２】
のみならず、組立式であり、かつ、筒材にはウェブ板を差し込み可能なスリットが設けられて、ウェブ板の差し込み量を調整することで、ブラケットの寸法を杭と基礎との偏心寸法に合わせることができるようになされているから、転石などで、杭の打設位置が基礎から離れて基礎と杭との偏心距離が大きくなったような場合でも、筒材を動かして、筒材内へのウェブ板の差し込み量を大小調整することで、それに容易に対応することができ、対応に苦慮することがない。もとより、この調整を終えた後は、ウェブ板、フランジ板、筒材は、溶接等で接合一体化されて、本来のブラケットとして機能するようにされる。
【００１３】
しかも、このように、ブラケットは組立式であるから、上記のように、基礎と杭との偏心距離が大きくなったような場合でも、例えば、追加フランジ板と追加筒材を用い、これら組み込んで、上下のフランジ板間の間隔寸法を大きくし、杭の偏心寸法増大によるモーメントの増加に、容易に対応することが可能である。
【００１４】
上記の工法において、杭の打込みを回転圧入法により行う場合は、杭の支持力を高めることができる。また、杭が鋼管杭からなり、この鋼管杭内部にコンクリートを充填する場合は、偏心荷重が作用する杭の曲げ耐力を高めることができる。
【００１５】
【発明の実施の形態】
次に、本発明の実施形態を図面に基づいて説明する。
【００１６】
図１（イ）乃至図２（チ）には、実施形態の修復工法を順次に示す。図１（イ）に示すように、まず、不同沈下を起こした建物基礎１において、この基礎１の側近から下方にわたって、地盤２を掘り、掘削穴３を形成する。このとき、基礎１の広幅ベース部分１ａには、基礎１とこれから打つ杭４との間の偏心寸法を短くするために、はつり部５を形成しておくのがよい。
【００１７】
そして、図１（ロ）に示すように、杭打ち機６で、杭４を、掘削穴３の底面の、基礎１から偏心した位置において、地盤２に打ち込んでいく。杭４は、例えば鋼管杭からなり、杭４の打込みを回転圧入法により行うことで、杭４の支持力を高いものにすることができる。杭４は、長さ１．５乃至２ｍのものを、順次溶接などの継ぎ手で、図１（ハ）に示すように、継ぎ足しながら、支持地盤に達するまで打ち込んでいく。
【００１８】
しかる後、図１（ニ）に示すように、掘削穴３の底部全体に、コンクリート７を打ち込み、図２（ホ）に示すように、杭４にブラケット８を取り付ける。
【００１９】
ブラケット８は、組立式ブラケットからなり、図３（イ）に示すように、上下のフランジ板９，１０と、ウェブ板１１と、筒材１２とを個別独立の部材として備え、これらを組み合わせて、溶接などで一体化して形成されるものである。
【００２０】
上下のフランジ板９，１０は、杭４と基礎１の下方とにわたる長さ寸法を有し、その一方の側には、杭４を接合するための杭通し孔１３，１４が設けられている。
【００２１】
ウェブ板１１は、上下のフランジ板９，１０をそれらの幅方向中央部において連結するもので、図３（イ）（ハ）に示すように、下フランジ板１０の幅寸法は、上フランジ板９の幅寸法よりも大きく設計され、上下のフランジ板９，１０をウェブ板１１にて接合した際、下フランジ板１０の幅方向両側１０ａ，１０ａが、上フランジ板９よりも外方に張り出すようになされている。これら両張り出し部１０ａ，１０ａに、後述のジャッキ１５，１５が配置される。
【００２２】
筒材１２は、上下のフランジ板９，１０間に、基礎１の下方部において、立てて配置されるもので、ウェブ板１１の高さ寸法と略同じ高さ寸法に設計されており、その周壁には、図３（イ）（ロ）に示すように、ウェブ板１１の端部を通すスリット１６が形成されている。上記のように、筒材１２は、基礎１の下方部に配置されるが、杭４と基礎１との偏心寸法が思い通りの寸法にならなかった場合、例えば、杭４と基礎１との偏心寸法が、予定に反して大きくなったり、小さくなったりしたような場合に、スリット１６へのウェブ板１１の端部の差し込み深さを大小調整することにより、筒材１２を確実に基礎１の下方部に位置させることができるようになされている。
【００２３】
上記の組立式ブラケット８の組み立てを、掘削穴３のコンクリート面７上で行う。即ち、下フランジ板１０を、その孔１４に杭４の上端部を通し、基礎１の下方部に向けるようにして、コンクリート７の上面に載置する。コンクリート７の上面は平坦であるので、このコンクリート面７に下フランジ板１０を支えさせればよい。次いで、下フランジ板１０上の幅方向中央部にウェブ板１１を立てると共に、筒材１２を、そのスリット１６にウェブ板１１の端部を差し込むようにして、基礎１の下方部において、下フランジ板１０上に立てる。スリット１６へのウェブ板１１の差し込み深さを大小調整することにより、ウェブ板１１と筒材１２との間に隙間や開口を生じさせることなく、筒材１２を基礎１の下方部に配置することができる。次いで、上フランジ板９を、その孔１３に杭４を通してウェブ板１１と筒材１２の上部に重ねる。そして、杭４、上下のフランジ板９，１０、ウェブ板１１、筒材１２を、溶接により、互いに接合一体化する。
【００２４】
しかる後、図２（へ）、図３（ハ）に示すように、ブラケット８の下フランジ板１０の各張り出し部分１０ａ，１０ａと、基礎１の下面との間に、ジャッキ１５，１５を配置し、両ジャッキ１５，１５を連動させるようにして、基礎１を上昇させる。両ジャッキ１５，１５は、ブラケット８の下フランジ板１０を反力盤として基礎１を構造安定性良く上昇させることができる。また、これらジャッキ１５，１５をブラケット８の下フランジ板１０に配置して基礎１を上昇させるから、ブラケット８を存在させる高さ範囲とジャッキ１５，１５を存在させる高さ範囲とがほとんど重なり、そのため、基礎１の下方の地盤の掘削穴３の深さは、浅くてよい。
【００２５】
基礎１を所定の適正な高さ位置まで上昇させた後、図２（ト）に示すように、ブラケット８の上フランジ板９と基礎１との間に、鋼板片などによるスペーサー１７を詰め込み、ジャッキ１５，１５を取り除き、図２（チ）に示すように、掘削穴３にコンクリート１８を打設し、このコンクリート１８と杭４とブラケット８とを一体化する。このとき、鋼管杭４の内部に、コンクリートを充填することで、杭４の曲げ耐力を高めることができる。なお、基礎１のベース部分１ａの下面側には、モルタル１９を充填しておく。そして、最後に土砂２０の埋め戻しを行う。以上のようにして、建物は水平に修復される。
【００２６】
図４は、転石などにより、杭４と基礎１との偏心寸法が大きくなった場合の対応策についてのものである。図４（イ）に示すように、ブラケット８の構成部材として、追加のウェブ板３１と追加の筒材３２とを使用する。杭４と基礎１との偏心寸法が大きくなってしまった場合、ブラケット８において、筒材スリット１６へのウェブ板１１の差し込み深さを浅くすることによって、筒材１２を基礎１の下方部の適正位置に存在させることができる。しかし、それだけでは、ブラケット８が、杭４の偏心寸法増大によるモーメントの増加に耐えられない場合がある。その場合に、上記のような追加のウェブ板３１と筒材３２とをブラケット８に組み込み、モーメントの増加に耐えるようにしたものである。
【００２７】
【発明の効果】
上述の次第で、本発明の建物水平修復工法及びそれに用いるブラケットは、上記のような構成を有するものであるから、基礎下方の地盤の掘削深さを浅くすることができ、しかも、基礎をジャッキで構造安定性良く上昇させることができ、更に、強度的にしっかりとした反力盤をブラケットとは別に形成する必要を排除することができ、加えて、転石などで杭の打設位置が基礎から離れて基礎と杭との偏心距離が大きくなったような場合でも、それに容易に対応することができると共に、杭の偏心寸法増大によるモーメントの増加にも容易に対応することができ、また、杭の支持力を高めることができ、更に、偏心荷重が作用する杭の曲げ耐力を高めることができる。
【図面の簡単な説明】
【図１】図（イ）乃至図（ニ）は、図２（ホ）乃至図２（チ）と共に、実施形態の修復工法を順次に示す断面側面図である。
【図２】図（ホ）乃至図（チ）は、図１（イ）乃至図１（ニ）と共に、実施形態の修復工法を順次に示す断面側面図である。
【図３】図（イ）はブラケットの分解斜視図、図（ロ）はブラケットの取付け状態の断面平面図、図（ハ）はジャッキで基礎を上昇させている状態を示す斜視図である。
【図４】変更例を示すもので、図（イ）はブラケットの分解斜視図、図（ロ）はブラケットの取付け状態の断面平面図、図（ハ）はジャッキで基礎を上昇させている状態を示す斜視図である。
【符号の説明】
１…基礎
２…地盤
３…掘削穴
４…杭
７…コンクリート
８…ブラケット
９…上フランジ板
１０…下フランジ板
１０ａ…張り出し部分
１１…ウェブ板
１２…筒材
１５…ジャッキ
１６…スリット
１８…コンクリート
【図１】
0004097853.tif 000002
【図２】
0004097853.tif 000003
【図３】
0004097853.tif 000004
【図４】
0004097853.tif 000005